(57)【要約】      （修正有）【課題】ＰＯＰ広告として機能する表示部の組立てを極めて素早くできる包装箱を提供する。【解決手段】底面部と、内側スリーブ状部５を有する内箱部Ａ１で、内側スリーブ状部の内側側面部の一部が分離部として他の部分と切目線を介して分離可能である。外箱部Ａ２は、内箱部を覆い、内側スリーブ状部を構成する各内側側面部に対応して外側側面部を有する外側スリーブ状部１０５と、蓋部とを有し、分離部が設けられた内側側面部に対応した外側側面部には、切目線により形成された片部が分離部２４，３４と接着されている外箱部Ａ２とを有する。内箱部には、側面部２０の本体部２２から連設された表示部支持部２６と、内箱部の正面側に形成され、表示部支持部２６から連設された表示部１６とを有し、表示部支持部２６を本体部２２に対して回動させ、表示部支持部２６と表示部１６の境界位置を突出部１３に係止させて、表示部を正面側に下方に傾斜した状態で支持させる。【選択図】図３
0003174806.tif 000002
【実用新案登録請求の範囲】
【請求項１】
包装箱であって、
略方形状の外形を有する底面部と、底面部の各辺から立設し底面部に対して略直角をなす内側スリーブ状部で、内側正面部と、相対する一対の内側側面部と、内側背面部とからなる内側スリーブ状部とを有し、上部が開口した内箱部で、相対する一対の内側側面部における各内側側面部が、内側正面部及び内側背面部と折れ線を介して連設された内側側面部本体部と、内側側面部本体部の上辺からミシン目状の切込みを有する第１切目線を介して連設された分離部とを有する内箱部と、
内箱部を覆う外箱部で、内箱部の内側スリーブ状部を構成する内側正面部と一対の内側側面部と内側背面部の各部に対応して該各部の外側の面に沿って設けられた外側スリーブ状部で、内側正面部の外側の面に沿って形成された外側正面部と、一対の内側側面部における各内側側面部の外側の面に沿ってそれぞれ形成された外側側面部と、内側背面部の外側の面に沿って形成された外側背面部とを有する外側スリーブ状部と、外側スリーブ状部の上端から折れ線を介して連設された蓋部とを有し、内箱部における分離部が設けられた内側側面部に対応した外側側面部に分離部が接着され、外側側面部における分離部が接着された領域を含みミシン目状の切込み又は連続した切込みを有する第２切目線を介して形成された片部が該外側側面部の他の部分に対して回動可能に形成された外箱部と、
を有し、
内箱部と外箱部とが、それぞれ１枚のシート状のブランクにより形成されていて、
内側正面部は、一対の内側側面部から折れ線を介して連設された正面本体部で、表示部と表示部支持部間の境界位置の端部を係止するための係止部を有する正面本体部と、正面本体部の上辺から切目線を介して連設された接続部と、接続部から切目線を介して連設された表示部とを有し、
一対の内側側面部の一方である第１内側側面部は、内側側面部本体部の上辺における分離部よりも正面側の位置から第１折れ線を介して上方に連設された表示部支持部で、第１折れ線と直角をなす第２折れ線を介して表示部に連設されている表示部支持部を有し、
外側側面部における分離部が接着された片部を第２切目線を介して片部を該外側側面部の他の部分に対して回動させることにより、第１切目線が破断して分離部が第１片部に接着した状態のまま内箱部から分離し、外箱部を上方に引き上げて外箱部を分離した状態で、接続部を切目線を介して内側正面部から除去し、表示部支持部を第１折れ線を介して第１内側側面部の内側側面部本体部に対して内側に回動させて、表示部と表示部支持部間の境界位置の端部を係止部に係止させることにより、表示部が表示部支持部により正面側に下方に傾斜した状態で支持されることを特徴とする包装箱。
【請求項２】
包装箱であって、
略方形状の外形を有する底面部と、底面部の各辺から立設し底面部に対して略直角をなす内側スリーブ状部で、内側正面部と、相対する一対の内側側面部と、内側背面部とからなる内側スリーブ状部とを有し、上部が開口した内箱部で、相対する一対の内側側面部における各内側側面部が、内側正面部及び内側背面部と折れ線を介して連設された内側側面部本体部と、内側側面部本体部の上辺からミシン目状の切込みを有する第１切目線を介して連設された分離部とを有する内箱部と、
内箱部を覆う外箱部で、内箱部の内側スリーブ状部を構成する内側正面部と一対の内側側面部と内側背面部の各部に対応して該各部の外側の面に沿って設けられた外側スリーブ状部で、内側正面部の外側の面に沿って形成された外側正面部と、一対の内側側面部における各内側側面部の外側の面に沿ってそれぞれ形成された外側側面部と、内側背面部の外側の面に沿って形成された外側背面部とを有する外側スリーブ状部と、外側スリーブ状部の上端から折れ線を介して連設された蓋部とを有し、内箱部における分離部が設けられた内側側面部に対応した外側側面部に分離部が接着され、外側側面部における分離部が接着された領域を含みミシン目状の切込み又は連続した切込みを有する第２切目線を介して形成された片部が該外側側面部の他の部分に対して回動可能に形成された外箱部と、
を有し、
内箱部と外箱部とが、それぞれ１枚のシート状のブランクにより形成されていて、
内側正面部は、一対の内側側面部から折れ線を介して連設された正面本体部で、表示部と表示部支持部間の境界位置の端部を係止するための係止部を有する正面本体部と、正面本体部の上辺から切目線を介して連設された表示部とを有し、
一対の内側側面部の一方である第１内側側面部は、内側側面部本体部の上辺における分離部よりも正面側の位置から第１折れ線を介して上方に連設された表示部支持部で、第１折れ線と直角をなす第２折れ線を介して表示部に連設されている表示部支持部を有し、
外側側面部における分離部が接着された片部を第２切目線を介して片部を該外側側面部の他の部分に対して回動させることにより、第１切目線が破断して分離部が第１片部に接着した状態のまま内箱部から分離し、外箱部を上方に引き上げて外箱部を分離した状態で、正面本体部と表示部間の切目線を破断し、表示部支持部を第１折れ線を介して第１内側側面部の内側側面部本体部に対して内側に回動させて、表示部と表示部支持部間の境界位置の端部を係止部に係止させることにより、表示部が表示部支持部により正面側に下方に傾斜した状態で支持されることを特徴とする包装箱。
【請求項３】
第１内側側面部における内側側面部本体部は、内側側面部本体部の上辺における分離部よりも正面側に水平な辺部を有し、表示部支持部は、該水平な辺部から第１折れ線を介して連設されていることを特徴とする請求項１又は２に記載の包装箱。
【請求項４】
表示部支持部は、第１折れ線に沿って形成された第１帯状部と第２折れ線に沿って形成された第２帯状部とで略Ｌ字状に形成されていることを特徴とする請求項１又は２又は３に記載の包装箱。
【請求項５】
表示部と表示部支持部間の境界位置の端部には、係止部と係止する切欠部が形成されていることを特徴とする請求項１又は２又は３又は４に記載の包装箱
【請求項６】
包装箱であって、
略方形状の外形を有する底面部と、底面部の各辺から立設し底面部に対して略直角をなす内側スリーブ状部で、内側正面部と、相対する一対の内側側面部と、内側背面部とからなる内側スリーブ状部とを有し、上部が開口した内箱部で、相対する一対の内側側面部における各内側側面部が、内側正面部及び内側背面部と折れ線を介して連設された内側側面部本体部と、内側側面部本体部の上辺からミシン目状の切込みを有する第１切目線を介して連設された分離部とを有する内箱部と、
内箱部を覆う外箱部で、内箱部の内側スリーブ状部を構成する内側正面部と一対の内側側面部と内側背面部の各部に対応して該各部の外側の面に沿って設けられた外側スリーブ状部で、内側正面部の外側の面に沿って形成された外側正面部と、一対の内側側面部における各内側側面部の外側の面に沿ってそれぞれ形成された外側側面部と、内側背面部の外側の面に沿って形成された外側背面部とを有する外側スリーブ状部と、外側スリーブ状部の上端から折れ線を介して連設された蓋部とを有し、内箱部における分離部が設けられた内側側面部に対応した外側側面部に分離部が接着され、外側側面部における分離部が接着された領域を含みミシン目状の切込み又は連続した切込みを有する第２切目線を介して形成された片部が該外側側面部の他の部分に対して回動可能に形成された外箱部と、
を有し、
内箱部と外箱部とが、それぞれ１枚のシート状のブランクにより形成されていて、
内側正面部は、一対の内側側面部から折れ線を介して連設された正面本体部で、表示部と表示部支持部間の境界位置の端部を係止するための係止部を有する正面本体部と、正面本体部の上辺から切目線を介して連設された接続部と、接続部から切目線を介して連設された表示部とを有し、
一対の内側側面部の一方である第１内側側面部は、内側側面部本体部の上辺における分離部よりも正面側に水平な辺部を有し、該水平な辺部から第１折れ線を介して上方に連設された表示部支持部で、第１折れ線と直角をなす第２折れ線を介して表示部に連設されている表示部支持部で、第１折れ線に沿って形成された第１帯状部と第２折れ線に沿って形成された第２帯状部とで略Ｌ字状に形成された表示部支持部を有し、
表示部と表示部支持部間の境界位置の端部には、係止部と係止する切欠部が形成され、
外側側面部における分離部が接着された片部を第２切目線を介して片部を該外側側面部の他の部分に対して回動させることにより、第１切目線が破断して分離部が第１片部に接着した状態のまま内箱部から分離し、外箱部を上方に引き上げて外箱部を分離した状態で、接続部を切目線を介して内側正面部から除去し、表示部支持部を第１折れ線を介して第１内側側面部の内側側面部本体部に対して内側に回動させて、表示部と表示部支持部間の境界位置の端部に設けられた切欠部を係止部に係止させることにより、表示部が表示部支持部により正面側に下方に傾斜した状態で支持されることを特徴とする包装箱。
【請求項７】
底面部は、内側正面部の下辺から連設された第１片部と、一対の内側側面部の一方における下辺から連設された第２片部と、一対の内側側面部の他方における下辺から連設された第３片部と、内側背面部の下辺から連設された第４片部により形成され、内側スリーブ状部における隣接する各部を互いに直角にすることにより底面部が略方形状の外形を有することを特徴とする請求項１又は２又は３又は４又は５又は６に記載の包装箱。
【考案の詳細な説明】
【技術分野】
【０００１】
本考案は、包装箱に関するものであり、複数の商品を集合して包装するとともに、包装箱の一部を分離させて商品を店頭等に陳列する包装箱に関するものである。
【背景技術】
【０００２】
従来より、出願人は、底面部と、内側スリーブ状部を有する内箱部で、内側スリーブ状部の内側側面部の一部が分離部として他の部分と切目線を介して分離可能な内箱部と、内箱部を覆う外箱部で、内側スリーブ状部を構成する各内側側面部に対応して外側側面部を有する外側スリーブ状部と、蓋部とを有し、分離部が設けられた内側側面部に対応した外側側面部には、切目線により形成された片部が分離部と接着されている外箱部と、を有し、外箱部の片部を外側に回動することにより分離部が片部に接着した状態のまま内箱部から分離し、その後、外箱部を上方に引き上げることにより、内箱部に収納された状態の商品を陳列することができるもので、包装箱に陳列された商品が陳列場所に陳列されていることを顧客に強く知らせることができる包装箱として、特許文献１に示す先行技術文献の出願を行っている。
【０００３】
この特許文献１に示す包装箱において、ＰＯＰ広告として機能する突出揺動表示部１６を組み立てるには、正面部１０における切目線Ｍ１と切目線Ｍ２とを破断して、折れ線Ｎ２を正面視において山折りするとともに折れ線Ｎ１を正面視において谷折りする。
【先行技術文献】
【特許文献】
【０００４】
【特許文献１】実用新案登録第３１５０９２０号公報
【考案の概要】
【考案が解決しようとする課題】
【０００５】
しかし、特許文献１の包装箱において、正面部１０における切目線Ｍ１と切目線Ｍ２とを破断して、折れ線Ｎ２を正面視において山折りするとともに折れ線Ｎ１を正面視において谷折りする必要があり、すなわち、破断する操作と、２回の折曲げ操作が必要になり、さらに素早く表示部を組み立てることができる包装箱が要望されていた。
【０００６】
また、特許文献１の包装箱においては、突出揺動表示部が揺動するので、これを固定して配置することができない。
【０００７】
そこで、本考案が解決しようとする問題点は、底面部と、内側スリーブ状部を有する内箱部で、内側スリーブ状部の内側側面部の一部が分離部として他の部分と切目線を介して分離可能な内箱部と、内箱部を覆う外箱部で、内側スリーブ状部を構成する各内側側面部に対応して外側側面部を有する外側スリーブ状部と、蓋部とを有し、分離部が設けられた内側側面部に対応した外側側面部には、切目線により形成された片部が分離部と接着されている外箱部と、を有する包装箱において、ＰＯＰ広告として機能する表示部の組立てを極めて素早く行なうことができ、表示部を固定して配置することができる包装箱を提供することである。
【課題を解決するための手段】
【０００８】
本考案は上記問題点を解決するために創作されたものであって、第１には、包装箱であって、略方形状の外形を有する底面部と、底面部の各辺から立設し底面部に対して略直角をなす内側スリーブ状部で、内側正面部と、相対する一対の内側側面部と、内側背面部とからなる内側スリーブ状部とを有し、上部が開口した内箱部で、相対する一対の内側側面部における各内側側面部が、内側正面部及び内側背面部と折れ線を介して連設された内側側面部本体部と、内側側面部本体部の上辺からミシン目状の切込みを有する第１切目線を介して連設された分離部とを有する内箱部と、内箱部を覆う外箱部で、内箱部の内側スリーブ状部を構成する内側正面部と一対の内側側面部と内側背面部の各部に対応して該各部の外側の面に沿って設けられた外側スリーブ状部で、内側正面部の外側の面に沿って形成された外側正面部と、一対の内側側面部における各内側側面部の外側の面に沿ってそれぞれ形成された外側側面部と、内側背面部の外側の面に沿って形成された外側背面部とを有する外側スリーブ状部と、外側スリーブ状部の上端から折れ線を介して連設された蓋部とを有し、内箱部における分離部が設けられた内側側面部に対応した外側側面部に分離部が接着され、外側側面部における分離部が接着された領域を含みミシン目状の切込み又は連続した切込みを有する第２切目線を介して形成された片部が該外側側面部の他の部分に対して回動可能に形成された外箱部と、を有し、内箱部と外箱部とが、それぞれ１枚のシート状のブランクにより形成されていて、内側正面部は、一対の内側側面部から折れ線を介して連設された正面本体部で、表示部と表示部支持部間の境界位置の端部を係止するための係止部を有する正面本体部と、正面本体部の上辺から切目線を介して連設された接続部と、接続部から切目線を介して連設された表示部とを有し、一対の内側側面部の一方である第１内側側面部は、内側側面部本体部の上辺における分離部よりも正面側の位置から第１折れ線を介して上方に連設された表示部支持部で、第１折れ線と直角をなす第２折れ線を介して表示部に連設されている表示部支持部を有し、外側側面部における分離部が接着された片部を第２切目線を介して片部を該外側側面部の他の部分に対して回動させることにより、第１切目線が破断して分離部が第１片部に接着した状態のまま内箱部から分離し、外箱部を上方に引き上げて外箱部を分離した状態で、接続部を切目線を介して内側正面部から除去し、表示部支持部を第１折れ線を介して第１内側側面部の内側側面部本体部に対して内側に回動させて、表示部と表示部支持部間の境界位置の端部を係止部に係止させることにより、表示部が表示部支持部により正面側に下方に傾斜した状態で支持されることを特徴とする。
【０００９】
第１の構成の包装箱においては、接続部を内側正面部から分離して除去し、表示部支持部を内側に倒すのみで表示部を表示状態にすることができるので、ＰＯＰ広告として機能する表示部の組立てを極めて素早く行なうことができる。また、表示部と表示部支持部間の境界位置の端部を係止部に係止させるので、表示部を固定して配置することができる。
【００１０】
また、外箱部の外側側面部の片部を外側に回動させて、分離部を内箱部から分離して外箱部を上方に引き上げるのみで陳列することができるので、陳列作業を容易に行なうことができる。
【００１１】
また、第２には、包装箱であって、略方形状の外形を有する底面部と、底面部の各辺から立設し底面部に対して略直角をなす内側スリーブ状部で、内側正面部と、相対する一対の内側側面部と、内側背面部とからなる内側スリーブ状部とを有し、上部が開口した内箱部で、相対する一対の内側側面部における各内側側面部が、内側正面部及び内側背面部と折れ線を介して連設された内側側面部本体部と、内側側面部本体部の上辺からミシン目状の切込みを有する第１切目線を介して連設された分離部とを有する内箱部と、内箱部を覆う外箱部で、内箱部の内側スリーブ状部を構成する内側正面部と一対の内側側面部と内側背面部の各部に対応して該各部の外側の面に沿って設けられた外側スリーブ状部で、内側正面部の外側の面に沿って形成された外側正面部と、一対の内側側面部における各内側側面部の外側の面に沿ってそれぞれ形成された外側側面部と、内側背面部の外側の面に沿って形成された外側背面部とを有する外側スリーブ状部と、外側スリーブ状部の上端から折れ線を介して連設された蓋部とを有し、内箱部における分離部が設けられた内側側面部に対応した外側側面部に分離部が接着され、外側側面部における分離部が接着された領域を含みミシン目状の切込み又は連続した切込みを有する第２切目線を介して形成された片部が該外側側面部の他の部分に対して回動可能に形成された外箱部と、を有し、内箱部と外箱部とが、それぞれ１枚のシート状のブランクにより形成されていて、内側正面部は、一対の内側側面部から折れ線を介して連設された正面本体部で、表示部と表示部支持部間の境界位置の端部を係止するための係止部を有する正面本体部と、正面本体部の上辺から切目線を介して連設された表示部とを有し、一対の内側側面部の一方である第１内側側面部は、内側側面部本体部の上辺における分離部よりも正面側の位置から第１折れ線を介して上方に連設された表示部支持部で、第１折れ線と直角をなす第２折れ線を介して表示部に連設されている表示部支持部を有し、外側側面部における分離部が接着された片部を第２切目線を介して片部を該外側側面部の他の部分に対して回動させることにより、第１切目線が破断して分離部が第１片部に接着した状態のまま内箱部から分離し、外箱部を上方に引き上げて外箱部を分離した状態で、正面本体部と表示部間の切目線を破断し、表示部支持部を第１折れ線を介して第１内側側面部の内側側面部本体部に対して内側に回動させて、表示部と表示部支持部間の境界位置の端部を係止部に係止させることにより、表示部が表示部支持部により正面側に下方に傾斜した状態で支持されることを特徴とする。
【００１２】
第２の構成の包装箱においては、正面本体部と表示部間の切目線を破断し、表示部支持部を内側に倒すのみで表示部を表示状態にすることができるので、ＰＯＰ広告として機能する表示部の組立てを極めて素早く行なうことができる。また、表示部と表示部支持部間の境界位置の端部を係止部に係止させるので、表示部を固定して配置することができる。
【００１３】
また、外箱部の外側側面部の片部を外側に回動させて、分離部を内箱部から分離して外箱部を上方に引き上げるのみで陳列することができるので、陳列作業を容易に行なうことができる。
【００１４】
また、第３には、第１又は第２の構成において、第１内側側面部における内側側面部本体部は、内側側面部本体部の上辺における分離部よりも正面側に水平な辺部を有し、表示部支持部は、該水平な辺部から第１折れ線を介して連設されていることを特徴とする。
【００１５】
また、第４には、上記第１から第３までのいずれかの構成において、表示部支持部は、第１折れ線に沿って形成された第１帯状部と第２折れ線に沿って形成された第２帯状部とで略Ｌ字状に形成されていることを特徴とする。
【００１６】
また、第５には、上記第１から第４までのいずれかの構成において、表示部と表示部支持部間の境界位置の端部には、係止部と係止する切欠部が形成されていることを特徴とする。これにより、切欠部を係止部と係止させることにより、表示部を強固に正面本体部に固定することができる。
【００１７】
また、第６には、包装箱であって、略方形状の外形を有する底面部と、底面部の各辺から立設し底面部に対して略直角をなす内側スリーブ状部で、内側正面部と、相対する一対の内側側面部と、内側背面部とからなる内側スリーブ状部とを有し、上部が開口した内箱部で、相対する一対の内側側面部における各内側側面部が、内側正面部及び内側背面部と折れ線を介して連設された内側側面部本体部と、内側側面部本体部の上辺からミシン目状の切込みを有する第１切目線を介して連設された分離部とを有する内箱部と、内箱部を覆う外箱部で、内箱部の内側スリーブ状部を構成する内側正面部と一対の内側側面部と内側背面部の各部に対応して該各部の外側の面に沿って設けられた外側スリーブ状部で、内側正面部の外側の面に沿って形成された外側正面部と、一対の内側側面部における各内側側面部の外側の面に沿ってそれぞれ形成された外側側面部と、内側背面部の外側の面に沿って形成された外側背面部とを有する外側スリーブ状部と、外側スリーブ状部の上端から折れ線を介して連設された蓋部とを有し、内箱部における分離部が設けられた内側側面部に対応した外側側面部に分離部が接着され、外側側面部における分離部が接着された領域を含みミシン目状の切込み又は連続した切込みを有する第２切目線を介して形成された片部が該外側側面部の他の部分に対して回動可能に形成された外箱部と、を有し、内箱部と外箱部とが、それぞれ１枚のシート状のブランクにより形成されていて、内側正面部は、一対の内側側面部から折れ線を介して連設された正面本体部で、表示部と表示部支持部間の境界位置の端部を係止するための係止部を有する正面本体部と、正面本体部の上辺から切目線を介して連設された接続部と、接続部から切目線を介して連設された表示部とを有し、一対の内側側面部の一方である第１内側側面部は、内側側面部本体部の上辺における分離部よりも正面側に水平な辺部を有し、該水平な辺部から第１折れ線を介して上方に連設された表示部支持部で、第１折れ線と直角をなす第２折れ線を介して表示部に連設されている表示部支持部で、第１折れ線に沿って形成された第１帯状部と第２折れ線に沿って形成された第２帯状部とで略Ｌ字状に形成された表示部支持部を有し、表示部と表示部支持部間の境界位置の端部には、係止部と係止する切欠部が形成され、外側側面部における分離部が接着された片部を第２切目線を介して片部を該外側側面部の他の部分に対して回動させることにより、第１切目線が破断して分離部が第１片部に接着した状態のまま内箱部から分離し、外箱部を上方に引き上げて外箱部を分離した状態で、接続部を切目線を介して内側正面部から除去し、表示部支持部を第１折れ線を介して第１内側側面部の内側側面部本体部に対して内側に回動させて、表示部と表示部支持部間の境界位置の端部に設けられた切欠部を係止部に係止させることにより、表示部が表示部支持部により正面側に下方に傾斜した状態で支持されることを特徴とする。
【００１８】
第６の構成の包装箱においては、接続部を内側正面部から分離して除去し、表示部支持部を内側に倒すのみで表示部を表示状態にすることができるので、ＰＯＰ広告として機能する表示部の組立てを極めて素早く行なうことができる。また、切欠部を係止部と係止させることにより、表示部を強固に正面本体部に固定して配置することができる。
【００１９】
また、外箱部の外側側面部の片部を外側に回動させて、分離部を内箱部から分離して外箱部を上方に引き上げるのみで陳列することができるので、陳列作業を容易に行なうことができる。
【００２０】
また、第７には、上記第１から第６までのいずれかの構成において、底面部は、内側正面部の下辺から連設された第１片部と、一対の内側側面部の一方における下辺から連設された第２片部と、一対の内側側面部の他方における下辺から連設された第３片部と、内側背面部の下辺から連設された第４片部により形成され、内側スリーブ状部における隣接する各部を互いに直角にすることにより底面部が略方形状の外形を有することを特徴とする。
【考案の効果】
【００２１】
本考案に基づく包装箱によれば、接続部を内側正面部から分離して除去するか又は正面本体部と表示部間の切目線を破断し、表示部支持部を内側に倒すのみで表示部を表示状態にすることができるので、ＰＯＰ広告として機能する表示部の組立てを極めて素早く行なうことができる。また、表示部と表示部支持部間の境界位置の端部を係止部に係止させるので、表示部を固定して配置することができる。
また、外箱部の外側側面部の片部を外側に回動させて、分離部を内箱部から分離して外箱部を上方に引き上げるのみで陳列することができるので、陳列作業を容易に行なうことができる。
【図面の簡単な説明】
【００２２】
【図１】本考案の実施例に基づく包装箱の前方斜視図である。
【図２】本考案の実施例に基づく包装箱の後方斜視図である。
【図３】本考案の実施例に基づく包装箱の分解斜視図である。
【図４】本考案の実施例に基づく包装箱の底面図である。
【図５】内箱部の展開図である。
【図６】図５の要部拡大図である。
【図７】外箱部の展開図である。
【図８】包装箱を折り畳んだ状態を示す平面図である。
【図９】包装箱を折り畳んだ際の内箱部の折り畳み状態を示す平面図である。
【図１０】包装箱の使用状態を示す斜視図である。
【図１１】包装箱の使用状態を示す斜視図である。
【図１２】包装箱の使用状態を示す斜視図である。
【図１３】包装箱の使用状態を示す斜視図である。
【図１４】包装箱の使用状態を示す斜視図である。
【図１５】包装箱の使用状態を示す斜視図である。
【図１６】内箱部の他の例を示す要部拡大図である。
【考案を実施するための形態】
【００２３】
本考案においては、底面部と、内側スリーブ状部を有する内箱部で、内側スリーブ状部の内側側面部の一部が分離部として他の部分と切目線を介して分離可能な内箱部と、内箱部を覆う外箱部で、内側スリーブ状部を構成する各内側側面部に対応して外側側面部を有する外側スリーブ状部と、蓋部とを有し、分離部が設けられた内側側面部に対応した外側側面部には、切目線により形成された片部が分離部と接着されている外箱部と、を有する包装箱において、ＰＯＰ広告として機能する表示部の組立てを極めて素早く行なうことができ、表示部を固定して配置することができる包装箱を提供するという目的を以下のようにして実現した。
【００２４】
本考案に基づく包装箱Ａは、図１〜図７等に示すように構成され、内箱部Ａ１と、外箱部Ａ２とを有していて、それぞれが１枚のシート状のブランク（具体的には、段ボール、厚紙等）により形成されている。
【００２５】
内箱部Ａ１は、全体に上部が開口した容器状を呈し、図３、図５等に示すように、スリーブ状部（内側スリーブ状部）５と、底面部５０とを有している。スリーブ状部５は、組立て状態では、底面部５０の周囲から立設して形成され、正面部（内側正面部）１０と、側面部（内側側面部）２０と、側面部（内側側面部）３０と、背面部（内側背面部）４０と、糊代部４２とを有していて、その展開状態は、図５に示すように形成されている。
【００２６】
ここで、正面部１０は、正面本体部１２と、正面本体部１２からミシン目状の切目線Ｋ１ａを介して連設された接続部１４と、接続部１４の正面本体部１２側とは反対側の辺部からミシン目状の切目線Ｋ１ｂを介して連設された表示部１６とを有している。
【００２７】
正面本体部１２は、方形状（具体的には、長方形状）の上側に切欠部を形成した形状を呈し、該切欠部は、正面本体部１２の右側面側の端部から略水平に伸びた（つまり、正面本体部１２の下辺と略平行の）辺部１２ａと、辺部１２ａの左側面側の端部から連設され、右側面側から左側面側に向けて下方に傾斜する直線状の辺部１２ｂと、辺部１２ｂの左側面側の端部から上方に伸びた略円弧状の辺部１２ｃとにより形成されている。略円弧状の辺部１２ｃは右側面側に突出していて、辺部１２ｃを先端に有する突出部（係止部）１３が形成されている。辺部１２ｂと辺部１２ｃとが接する位置においては、辺部１２ｂと辺部１２ｃとは鋭角をなしている。内箱部Ａ１を陳列状態に組み立てた際には、表示部１６と表示部支持部２６間の境界位置（切欠部Ｋ９の形成位置）が突出部１３と係合する。
【００２８】
なお、辺部１２ｃの辺部１２ｂ側とは反対側の端部は、正面本体部１２の左側面側の端部から水平に伸びた（つまり、正面本体部１２の下辺と平行の）辺部１２ｄから連設されている。辺部１２ａは、辺部１２ｄや折れ線Ｃ２７よりも若干下方に形成されていて、辺部１２ｄは折れ線Ｃ２７と上下方向に同じ高さに形成されている。
【００２９】
また、接続部１４は、正面本体部１２の上端からミシン目状の切目線Ｋ１ａを介して連設され、右側面側に尖った略三角形状を呈している。すなわち、接続部１４は、辺部１２ａに沿った辺部と、該辺部１２ａに沿った辺部から連設された辺部１２ｂに沿った辺部と、該辺部１２ｂに沿った辺部から連設された辺部１２ｃの一部に沿った辺部と、該辺部１２ｃに沿った辺部から連設された直線状に傾斜した辺部１４ａと、表示部１６の辺部に沿った辺部と、鉛直方向の辺部で正面本体部１２と本体部２２間の折れ線Ｃ２２の延長線上の辺部とで囲まれた形状を呈している。接続部１４と正面本体部１２間の切目線Ｋ１ａは、辺部１２ｃの一部と辺部１２ｂと辺部１２ａに沿って形成されている。また、接続部１４と本体部２２間及び接続部１４と表示部支持部２６間にも鉛直方向の切込みが折れ線Ｃ２２の延長線上に形成されている。接続部１４は、正面本体部１２と表示部１６とを切目線を介して接続している。この接続部１４は、内箱部Ａ１を陳列状態に組み立てる際には、除去されるものである。
【００３０】
また、表示部１６は、接続部１４における正面本体部１２側とは反対側からミシン目状の切目線Ｋ１ｂを介して連設され、互いに平行な直線状の辺部１６ａ、１６ｃと、辺部１６ａと辺部１６ｃ間に設けられ略半円状の辺部１６ｂと、側面部２０に設けられた表示部支持部２６との間の直線状の折れ線Ｃ２８とにより囲まれた形状を呈している。表示部１６と接続部１４間の切目線Ｋ１ｂは、辺部１６ｂの一部と辺部１６ａに沿って形成されている。表示部１６は、表示部支持部２６と折れ線（第２折れ線）Ｃ２８を介して連設されている。
【００３１】
表示部１６の外側の面には、予め商品の広告等の表示内容を印刷しておく。なお、内箱部Ａ１の展開状態において、表示部１６の外側の面は、内箱部Ａ１の外側の面と同じ面となるので、内箱部Ａ１の表示部１６以外の領域と同時に表示部１６に印刷を行なうことができる。
【００３２】
なお、内箱部Ａ１を陳列状態にして表示部１６と表示部支持部２６とを組み立てる前の状態、例えば、包装箱Ａを箱状に組み立てた状態（図１の状態）や包装箱Ａの包装状態（図１１の状態）においては、正面部１０（すなわち、正面本体部１２と接続部１４と表示部１６）は全体で１つの平板状を呈し、同一の平面をなしている。内箱部Ａ１を陳列状態にして表示部１６と表示部支持部２６とを組み立てた状態は、図１５に示す状態である。
【００３３】
また、側面部（第１内側側面部）２０は、正面部１０の正面本体部１２の正面視における右側の端部から折れ線を介して連設され、方形状における上側の一部を切り欠いた形状を呈し、その上端の縁部は、凹凸形状に形成され、背面側の端部においては、背面部４０の上端の縁部の高さと同じに形成されている。この側面部２０は、本体部（内側側面部本体部）２２と、分離部２４と、表示部支持部２６とを有している。
【００３４】
ここで、側面部２０の上端の領域の一部に切目線（第１切目線）Ｋ２と切目線Ｋ４とからなる境界線で区画することにより分離部２４が形成されている。切目線Ｋ２は、ミシン目状の切込み（間隔をおきながら形成された切込み）（切断予定線）であり、切目線Ｋ４は、連続した切込みにより形成されている。本体部２２は、側面部２０における分離部２４と表示部支持部２６とを除いた領域となる。
【００３５】
すなわち、切目線Ｋ２は、横方向（略水平方向）に略円弧状に形成され、切目線Ｋ４は、切目線Ｋ２の背面側の端部から垂直方向（つまり、水平方向（側面部２０の下辺の方向）に直角の方向）に直線状に形成されている。つまり、分離部２４は、側面部２０の上端の領域の一部、すなわち、正面部側の端部から背面部側の端部にまでの上端の縁部に接する領域に形成され、本体部２２と切目線Ｋ２を介して分離可能に形成されている。
【００３６】
分離部２４は、正面側と背面側が直線状に形成され、上面側と下面側が円弧状に形成されている。分離部２４の正面側と背面側の辺部は垂直方向に形成されている。つまり、分離部２４の下辺は切目線Ｋ２により形成され、分離部２４の背面側の辺部は切目線Ｋ４により形成されている。
【００３７】
分離部２４の形状は、外箱部Ａ２の側面の片部１２６を外側に回動させることにより、分離部２４を本体部２２から分離し、その後、外箱部Ａ２を上方に引き上げる際に支障とならないように形成されている。つまり、分離された分離部２４が本体部２２に対して上方に移動する際に支障とならないように、分離部２４は、側面部２０の上端の領域の一部、すなわち、側面部２０の正面側の端部から背面側の端部までの上端の縁部に接する領域の一部に設けられ、切目線Ｋ４は、水平方向に対して９０度以下（具体的には、９０度）に形成されている。つまり、切目線Ｋ４の角度が９０度よりも大きくなってしまうと、分離部２４を本体部２２に対して上方に移動させる際に、本体部２２が支障となる可能性があるが、本実施例の場合にはそのようなおそれがない。
【００３８】
本体部２２は、側面部２０における分離部２４及び表示部支持部２６以外の部分であり、全体に略Ｌ字状を呈し、その屈曲部の内側に分離部２４が形成されているといえる。本体部２２の上辺（上端の縁部）は、正面側の端部から背面側に形成された水平な（本体部２２の下辺と平行な）辺部２２ａと、辺部２２ａの背面側の端部から連設され横方向に略円弧状に形成された辺部２２ｂと、辺部２２ｂの背面側の端部から連設され水平方向に対して直角に形成された辺部２２ｃと、辺部２２ｃの上端から形成され円弧状を呈する辺部２２ｄと、辺部２２ｄの背面側の端部から連設され水平方向に直線状の辺部２２ｅとから形成されている。切目線Ｋ２は、辺部２２ｂに沿って形成され、切目線Ｋ４は、辺部２２ｃの一部に沿って形成されている。つまり、本体部２２は、本体部２２の上辺における分離部２４よりも正面側に水平な辺部２２ａを有し、表示部支持部２６は、辺部２２ａから折れ線Ｃ２７を介して連設されている。折れ線Ｃ２７は、辺部２２ａと一致して形成されている。
【００３９】
この分離部２４の形成位置は、外箱部Ａ２の片部１２６の裏側の領域であり、分離部２４は片部１２６の裏側に接着され、片部１２６を外側に回動させることにより、分離部２４も片部１２６の裏側に接着したまま切目線Ｋ２が破断されて、分離部２４が本体部２２から分離するように形成されている。分離部２４は、片部１２６よりも小さく形成されていて、分離部２４の外形が片部１２６の外形よりもはみだすことがない。
【００４０】
また、表示部支持部２６は、本体部２２の辺部２２ａから折れ線（第１折れ線）Ｃ２７に沿って形成され、略Ｌ字状に形成されている。すなわち、表示部支持部２６は、本体部２２から折れ線Ｃ２７を介して上方に連設され、辺部２２ａに沿って形成された帯状部２７と、帯状部２７の正面側の端部から連設され帯状部２７の形成方向に対して直角方向に形成された帯状部２８とを有している。帯状部２７は、折れ線Ｃ２７と平行な辺部２７ａと辺部２７ａの背面側の端部から連設され、辺部２２ａに対して傾斜して形成された辺部２７ｂとを有している。また、帯状部２８は、折れ線Ｃ２８と平行な辺部２８ａと辺部２８ａの辺部２７ａとは反対側の端部から連設され折れ線Ｃ２８と接する略円弧状の辺部２８ｂとを有しており、辺部２７ａと辺部２８ａ間には、略円弧状の辺部２８ｃが形成されている。なお、表示部支持部２６は、内箱部Ａ１の包装状態においては（つまり、内箱部Ａ１を陳列状態にして表示部１６と表示部支持部２６とを組み立てる前の状態）、当然本体部２２と同一の平面をなし、折れ線Ｃ２８は、正面本体部１２と本体部２２間の折れ線Ｃ２２の延長線上にあり、折れ線Ｃ２８と折れ線Ｃ２２とは直線状をなす。折れ線Ｃ２７と折れ線Ｃ２８とは直角をなしている。
【００４１】
また、折れ線Ｃ２８における折れ線Ｃ２２側とは反対側の先端には、切欠部Ｋ９が形成されている。つまり、表示部支持部２６の帯状部２８における先端の表示部１６側に切欠きが形成されるとともに、表示部１６における接続部１４側とは反対側の端部における表示部支持部２６側に切欠きが形成され、それら２つの切欠きにより切欠部Ｋ９が形成されている。この切欠部Ｋ９の箇所が、突出部１３と係合する。つまり、表示部１６と表示部支持部２６間の境界位置の端部には、突出部１３と係止する切欠部Ｋ９が形成されている。すなわち、折れ線Ｃ２８の長さｈ２は、正面本体部１２における右側面側の端部から辺部１２ｂの左側面側の端部（辺部１２ｂが辺部１２ｃと接する位置）までの長さｈ１（直線距離の長さ）と略同一（同一としてもよい）となっている。
【００４２】
なお、表示部支持部２６が本体部２２に対して折曲しやすいように、折れ線Ｃ２７に沿って切込みＫ３０が形成され、表示部１６が表示部支持部２６に対して折曲しやすいように、折れ線Ｃ２８に沿って切込みＫ３２が形成されている。
【００４３】
なお、内箱部Ａ１を陳列状態にして表示部１６と表示部支持部２６とを組み立てる前の状態、例えば、包装箱Ａを箱状に組み立てた状態（図１の状態）や包装箱Ａの包装状態（図１１の状態）においては、側面部２０（すなわち、本体部２２と分離部２４と表示部支持部２６）は全体で１つの平板状を呈し、同一の平面をなしている。
【００４４】
また、側面部３０は、正面部１０の正面視における左側の端部から折れ線を介して連設され、方形状における上側の一部を切り欠いた形状を呈し、その上端の縁部は、凹凸形状に形成され、背面側の端部においては、背面部４０の上端の縁部の高さと同じに形成されている。この側面部３０は、本体部（内側側面部本体部）３２と、分離部３４とを有している。この側面部３０の構成は、側面部２０における表示部支持部２６を除くとともに、本体部３２の辺部３２ａを本体部２２の辺部２２ａとは異なり略円弧状とした構成と前後方向に垂直な仮想的な平面である中心面を介して対称に形成されていて、本体部３２は辺部３２ａを除き本体部２２と対称（展開状態では線対称）に形成され、分離部３４は分離部２４と対称（展開状態では線対称）に形成されていることから詳しい説明を省略する。なお、辺部３２ａは、下方に窪んだ略円弧状を呈している。
【００４５】
なお、側面部３０の上端の領域の一部に切目線（第１切目線）Ｋ６と切目線Ｋ８とからなる境界線で区画することにより分離部３４が形成されている。切目線Ｋ６は、ミシン目状の切込み（間隔をおきながら形成された切込み）（切断予定線）により形成され、切目線Ｋ８は、連続した切込みにより形成されている。
【００４６】
また、分離部３４の形成位置は、外箱部Ａ２の片部１３６の裏側の領域であり、分離部３４は片部１３６の裏側に接着され、片部１３６を外側に回動させることにより、分離部３４も片部１３６の裏側に接着したまま切目線Ｋ６が破断されて、分離部３４が本体部３２から分離するように形成されている。
【００４７】
また、背面部４０は、側面部２０の右側面視における右端から折れ線を介して連設され、方形状（長方形状）を呈している。この背面部４０の横幅は、正面部の横幅と同一に形成され、背面部４０の縦幅は、側面部２０、３０の縦幅（最大縦幅）と同一に形成されている。
【００４８】
また、糊代部４２は、側面部３０の左側面視における左端から折れ線を介して連設され、縦方向に細長の帯状台形形状を呈している。この糊代部４２は、図３に示すように、その外側の面が背面部４０の内側の面に接着されている。
【００４９】
また、底面部５０は、第１片部６０と、第２片部７０と、第３片部８０と、第４片部９０とを有し、包装箱Ａの組立て状態においては、図４に示すように、略方形状の外形を呈している。
【００５０】
ここで、第１片部６０は、正面部１０の下端から折れ線を介して連設され、先端側にいくほど幅狭となる略台形形状に形成され、その上面の一部が内箱部Ａ１の内底面の一部を形成している。この第１片部６０は、底面部５０の組立て状態においては、第４片部９０と点対称に形成されている。
【００５１】
また、第２片部７０は、側面部２０の下端から折れ線を介して連設され、略長方形状に形成され、第２片部７０の上面の一部が内箱部Ａ１の内底面の一部を形成している。また、第２片部７０の角部（側面部２０と背面部４０の境界位置の角部）からは第２片部７０の側面部２０との境界をなす辺部に対して斜めに所定間隔で切込みが形成された（つまり、折曲しやすいように切込みが形成されている）折れ線７０−１（この折れ線７０−１は、上面側が山折れ線となっている）が形成され、内箱部Ａ１を折り畳む際に、容易に折り畳むことができるようになっている。第２片部７０は、折れ線７０−１を介して本体部７２と先端部７４とに区画される。本体部７２の先端の先端部７４側には、他方の本体部８２と互いに係止するように切欠部７２ａが形成されている。先端部７４の上面は、第４片部９０の下面に接着されている。
【００５２】
また、第３片部８０は、側面部３０の下端から折れ線を介して連設され、底面部５０の組立て状態においては、第２片部７０と点対称に形成されている。すなわち、第３片部８０は、側面部３０の下端から折れ線を介して連設され、略長方形状に形成され、第３片部８０の上面の一部が内箱部Ａ１の内底面の一部を形成している。また、第３片部８０の角部（側面部３０と正面部１０の境界位置の角部）からは第３片部８０の側面部３０との境界をなす辺部に対して斜めに所定間隔で切込みが形成された（つまり、折曲しやすいように切込みが形成されている）折れ線８０−１（この折れ線８０−１は、上面側が山折れ線となっている）が形成され、内箱部Ａ１を折り畳む際に、容易に折り畳むことができるようになっている。第３片部８０は、折れ線８０−１を介して本体部８２と先端部８４とに区画される。本体部８２の先端の先端部８４側には、他方の本体部７２と互いに係止するように切欠部８２ａが形成されている。先端部８４の上面は、第１片部６０の下面に接着されている。
【００５３】
また、第４片部９０は、背面部４０の下端から折れ線を介して連設され、先端側にいくほど幅狭となる略台形形状に形成され、その上面の一部が内箱部Ａ１の内底面の一部を形成している。
【００５４】
内箱部Ａ１を箱状に組み立てた状態では、正面部１０と背面部４０とが互いに平行になり、側面部２０と側面部３０とが互いに平行になり、底面部５０を構成する各部材は、正面部１０、側面部２０、３０、背面部４０に対して略直角（直角でもよい）となる。また、スリーブ状部５を構成する各部材（正面部１０、側面部２０、３０、背面部４０）における隣接する部材は互いに直角となっている。また、内箱部Ａ１は、平板状に折り畳むことができ、正面部１０と側面部３０との角度を小さくし、背面部４０と側面部２０との角度を小さくさせるとともに、第２片部７０の本体部７２を上方に回動させて側面部２０に対して略平行にし、第３片部８０の本体部８２を上方に回動させて側面部３０に対して略平行にすることにより、図９に示すように、内箱部Ａ１が全体に平板状に折り畳むことができる。また、内箱部Ａ１を折り畳んだ状態では、底面部５０を構成する各部は、スリーブ状部５内にスリーブ状部５を構成する正面部１０、側面部２０、３０、背面部４０に対して略平行な状態となる。
【００５５】
次に、外箱部Ａ２は、内箱部Ａ１を覆う箱体であり、図１〜図４、図７等に示すように、スリーブ状部（外側スリーブ状部）１０５と、上面部１６０、１７０、１８０、１９０とを有していて、その展開状態は、図７に示すように形成されている。
【００５６】
ここで、スリーブ状部１０５は、組み立てた状態では、四角形状の筒状を呈し、正面部（外側正面部）１１０と、側面部（外側側面部）１２０と、側面部（外側側面部）１３０と、背面部（外側背面部）１４０とを有している。
【００５７】
ここで、正面部１１０は、方形状（長方形状）の板状を呈している。この正面部１１０の横幅は、内箱部Ａ１を外箱部Ａ２内に収納することができるように、正面部１０（具体的には、正面本体部１２）の横幅よりも若干大きく形成されている。
【００５８】
また、側面部１２０は、正面部１１０の正面視における右側の端部から折れ線Ｋ１２を介して連設され、方形状を呈し、切目線（第２切目線）１２２と切目線１２４ａ、１２４ｂが形成されている。
【００５９】
ここで、切目線１２２は、ミシン目状の切込み（間隔をおきながら形成された切込み）（切断予定線）により形成され、略コ字状を呈し、横方向に形成された略円弧状の切目線１２２ａと、切目線１２２ａの端部（右側面視における左側の端部）から下側に向けて縦方向（側面部１２０の下辺と略直角な方向）に形成された直線状の切目線１２２ｂと、切目線１２２ｂの下端から横方向で切目線１２２ａに対して略平行に形成された略円弧状の切目線１２２ｃにより、全体に略コ字状に形成されている。また、切目線１２２ａの長さと切目線１２２ｃの長さは略同一に形成されている。この切目線１２２ａと切目線１２２ｃ間の幅は、内箱部Ａ１の分離部２４の縦方向の幅よりも大きく形成され、また、切目線１２２ａや切目線１２２ｃの長さは、分離部２４の横方向の幅よりも大きく形成されている。以上のように、切目線１２２と、切目線１２２ａ及び切目線１２２ｃの切目線１２２ｂ側とは反対側の端部間を結ぶ折れ線Ｃ１２６により囲まれた領域が、片部１２６となる。
【００６０】
また、切目線１２２ｂの上端から下端に向けての途中位置には、切目線１２２ａや切目線１２２ｃが設けられている側とは反対側に、横方向に互いに平行な切目線１２４ａ、１２４ｂが形成されている。つまり、切目線１２４ａと切目線１２４ｂは、互いに平行に形成され、連続した切込みにより形成されている。また、切目線１２４ａは、切目線１２２ａよりも下側に形成され、切目線１２４ｂは、切目線１２２ｃよりも上側に形成されている。以上のように、切目線１２４ａと、切目線１２４ｂと、切目線１２２ｂと、切目線１２４ａ及び切目線１２４ｂの切目線１２２ｂ側とは反対側の端部間を結ぶ直線状の折れ線Ｃ１２８により囲まれた領域が、片部１２８となる。この側面部１２０の横幅は、内箱部Ａ１を外箱部Ａ２内に収納することができるように、側面部２０の横幅よりも若干大きく形成されている。
【００６１】
なお、正面部１１０と側面部１２０の境界位置には、所定間隔で切込みが形成された（つまり、折曲しやすいように切込みが形成されている）直線状の折れ線Ｋ１２が形成されている。また、側面部１２０と正面部１１０の間の位置における下側には、縦長の開口部Ｋ１４が形成されている。
【００６２】
また、側面部１３０は、正面部１１０の正面視における左側の端部から折れ線Ｋ１６を介して連設され、方形状を呈し、切目線（第２切目線）１３２と切目線１３４ａ、１３４ｂが形成されている。
【００６３】
この側面部１３０の構成は、側面部１２０と前後方向に垂直な仮想的な平面である中心面を介して開口部Ｋ１４や切欠部Ｋ１８の箇所の形状を除き対称に形成されていて、切目線１３２は、切目線１２２と対称に形成され、横方向に形成された略円弧状の切目線１３２ａと、切目線１３２ａの端部（左側面視における右側の端部）から下側に向けて縦方向に形成された切目線１３２ｂと、切目線１３２ｂの下端から横方向で切目線１３２ａに対して略平行に形成された略円弧状の切目線１３２ｃにより、全体に略逆コ字状に形成されている。切目線１３２は、ミシン目状の切込み（間隔をおきながら形成された切込み）（切断予定線）により形成されている。また、切目線１３２ｂの上端から下端に向けての途中位置には、切目線１３２ａや切目線１３２ｃが設けられている側とは反対側に、横方向に互いに平行な切目線１３４ａ、１３４ｂが形成されている。切目線１３４ａ、１３４ｂは、連続した切込みにより形成されている。そして、切目線１３２と、切目線１３２ａ及び切目線１３２ｃの切目線１３２ｂ側とは反対側の端部間を結ぶ直線状の折れ線Ｃ１３６により囲まれた領域が、片部１３６となり、また、切目線１３４ａと、切目線１３４ｂと、切目線１３２ｂと、切目線１３４ａ及び切目線１３４ｂの切目線１３２ｂ側とは反対側の端部間を結ぶ直線状の折れ線Ｃ１３８により囲まれた領域が、片部１３８となる。切目線１３２の詳しい構成は、切目線１２２と対称である以外は同一の構成であるので、詳しい説明を省略し、また、切目線１３４ａ、１３４ｂの詳しい構成は、切目線１２４ａ、１２４ｂと対称である以外は同一の構成であるので、詳しい説明を省略する。
【００６４】
なお、正面部１１０と側面部１３０の境界位置には、所定間隔で切込みが形成された（つまり、折曲しやすいように切込みが形成されている）直線状の折れ線Ｋ１６が形成されている。また、側面部１３０と正面部１１０の間の位置における下側には、縦長の切欠部Ｋ１８が形成されている。、外箱部Ａ２には、開口部Ｋ１４や切欠部Ｋ１８が設けられているので、正面部１１０や側面部１２０、１３０の下端が外側と内側間を移動する余裕があり、外箱部Ａ２を容易に引き上げることができる。
【００６５】
また、背面部１４０は、側面部１２０の右側面視における右端から折れ線Ｋ２０を介して連設され、方形状を呈している。この背面部１４０の横幅は、内箱部Ａ１を外箱部Ａ２内に収納することができるように、背面部４０の横幅よりも若干大きく形成されている。
【００６６】
また、糊代部１４２は、背面部１４０の背面視における右端から折れ線（所定間隔で切込みが形成された（つまり、折曲しやすいように切込みが形成されている）直線状の折れ線Ｋ２２）を介して連設され、縦方向に細長の帯状台形形状を呈している。この糊代部１４２は、図２に示すように、その内側の面が側面部１３０の外側の面に接着されている。
【００６７】
また、正面部１１０と側面部１２０、１３０と背面部１４０の縦幅は同一に形成されていて、内箱部Ａ１の縦幅と同一又は若干大きく形成されている。
【００６８】
また、上面部１６０は、正面部１１０の上端から折れ線を介して連設され、方形状（長方形状）を呈している。また、上面部１７０は、側面部１２０の上端から折れ線を介して連設され、方形状（長方形状）を呈している。この上面部１７０と上面部１６０との間には隙間Ｋ２４が形成されている。また、上面部１８０は、側面部１３０の上端から折れ線を介して連設され、方形状（長方形状）を呈している。この上面部１８０と上面部１６０との間には隙間Ｋ２６が形成されている。また、上面部１９０は、背面部１４０の上端から折れ線を介して連設され、方形状（長方形状）を呈している。この上面部１９０と上面部１７０との間には隙間Ｋ２８が形成されている。これら４つの上面部１６０〜１９０は、外箱部Ａ２の上面を開閉するものであり、特に、上面部１７０と上面部１８０を閉状態とすることにより外箱部Ａ２の上面が塞がれる。つまり、上面部１６０〜１９０は、蓋部を構成する。なお、上面部１６０〜１９０は、予め上方に立設した状態になっていて、外箱部Ａ２の上方が開口した状態になっている。なお、外箱部Ａ２の展開状態においては、図７に示すように、上面部１６０〜１９０における隣接した上面部においては、隙間Ｋ２４、Ｋ２６、Ｋ２８が形成されている。なお、蓋部としての上面部１６０〜１９０はスリーブ状部１０５の上端の各辺から連設されているが、少なくとも１つの上面部から連設されていればよい。
【００６９】
外箱部Ａ２を箱状に組み立てた状態では、正面部１１０と背面部１４０とが互いに平行になり、側面部１２０と側面部１３０とが互いに平行になる。また、スリーブ状部１０５を構成する各部材（正面部１１０、側面部１２０、１３０、背面部１４０）における隣接する部材は互いに直角となっている。
【００７０】
次に、内箱部Ａ１と外箱部Ａ２とは、分離部２４、３４の箇所で互いに接着されている。つまり、分離部２４の外側の面と側面部１２０（特に、片部１２６）の内側の面とが接着剤その他の接着手段により接着されるとともに、分離部３４の外側の面と側面部１３０（特に、片部１３６）の内側の面とが接着剤その他の接着手段により接着されることにより、包装箱Ａが全体に一体に形成される。つまり、分離部２４の外側の面の全部又は一部の領域と側面部１２０の内側の面の間には接着剤層（図示せず）が設けられていて、同様に、分離部３４の外側の面の全部又は一部の領域と側面部１３０の内側の面の間には接着剤層（図示せず）が設けられている。これにより、外箱部Ａ２のスリーブ状部１０５は、内箱部Ａ１におけるスリーブ状部５の外側の面に沿って設けられ、例えば、正面部１０の外側の面に沿って正面部１１０が設けられ、側面部２０の外側の面に沿って側面部１２０が設けられ、側面部３０の外側の面に沿って側面部１３０が設けられ、背面部４０の外側の面に沿って背面部１４０が設けられている。該接着剤層の接着力は、外箱部Ａ２の片部１２６を外側に回動させた際に、同時に分離部２４の下側の切目線Ｋ２が破れて、分離部２４が内箱部Ａ１から分離し、回動させた片部１２６に接着した状態で片部１２６に従動するように設定されていて、同様に、外箱部Ａ２の片部１３６を外側に回動させた際に、同時に分離部３４の下側の切目線Ｋ６が破れて、分離部３４が内箱部Ａ１から分離し、回動させた片部１３６に接着した状態で片部１３６に従動するように設定されている。
【００７１】
また、内箱部Ａ１と外箱部Ａ２とが接着された状態では、内箱部Ａ１の下端と外箱部Ａ２の下端とが同じ高さになるように形成されている。なお、内箱部Ａ１と外箱部Ａ２とは、分離部２４、３４の箇所以外は互いに接着されていない。以上のように、内箱部Ａ１は外箱部Ａ２の内側に収納した状態となっていて、内箱部Ａ１の底面部５０以外は外箱部Ａ２に被覆された状態となっている。つまり、外箱部Ａ２の下端の高さ方向の位置は、内箱部Ａ１の下端の高さ方向の位置と略同一であり、上面部１６０〜１９０を封止した状態では内箱部においては底面部５０のみが露出している。
【００７２】
なお、上記構成の包装箱Ａは、内箱部Ａ１が上記のように折り畳むことができ、また、外箱部Ａ２がスリーブ状部１０５を有し、全体に略スリーブ状を呈しているので、包装箱Ａの状態においても平板状に折り畳むことができ、正面部１１０を側面部１３０に対して略平行になるようにし、かつ、側面部１２０を背面部１４０に対して略平行になるようにすることにより、図８に示すように平板状に折り畳むことができる。
【００７３】
なお、上記内箱部Ａ１、外箱部Ａ２において、各折れ線の箇所には、予め罫線が形成されている。
【００７４】
上記構成の包装箱Ａの使用状態について説明する。包装箱Ａを使用しない状況では、上記のように包装箱Ａは平板状に折り畳むことができるので、折り畳んで保管しておく。
【００７５】
そして、包装箱Ａを使用する際に、包装箱Ａを組み立てる。すなわち、外箱部Ａ２における正面部１１０と背面部１４０とが互いに平行になり、側面部１２０と側面部１３０とが互いに平行になるようにするとともに、内箱部Ａ１における正面部１０と背面部４０とが互いに平行になり、側面部２０と側面部３０とが互いに平行になるようにし、底面部５０がスリーブ状部５、１０５に直角になるようにすることにより包装箱Ａが立体状に組み立てられる。このように、包装箱Ａを組み立てた状態においては、正面部１０と側面部２０とが直角となるので、表示部１６も表示部支持部２６に対して折曲した状態となっている。
【００７６】
そして、図１０に示すように、包装箱Ａの上方から複数の被収納物（商品）Ｇを内箱部Ａ１内に収納する。なお、被収納物Ｇとしては、表示部支持部２６が設けられているので、レトルトパウチ等のパウチ製品のように柔軟性のあるものとする。なお、上面部１６０〜１９０は、予め上方に立設した状態になっていて、外箱部Ａ２の上方が開口した状態になっているので、被収納物Ｇはそのまま包装箱Ａの上方から収納すればよい。また、表示部１６や接続部１４を含めた正面部１０や表示部支持部２６を含めた側面部２０は、上方に立設した状態となっているので、被収納物の収納に支障はない。その後、上面部１６０〜１９０を閉状態にして、接着テープＴを外箱部Ａ２の正面部１１０から上面を経て背面部１４０側にまで接着させることにより、図１１に示すように、上面部１６０〜１９０を封止する。
【００７７】
以上のようにして、被収納物を包装箱Ａに包装したら、被収納物Ｇを収納した包装箱Ａを被収納物Ｇを陳列する場所に搬送する。
【００７８】
その後、被収納物を陳列する場合には、外箱部Ａ２を内箱部Ａ１から分離する。すなわち、図１２に示すように、外箱部Ａ２の側面部１２０の片部１２８を内側に押し込むことにより片部１２６の先端に指を引っかけることができるようにした後に、片部１２６を外側に回動させる。つまり、折れ線Ｃ１２６が回動軸となって片部１２６が水平方向に回動する。
【００７９】
同様に、外箱部Ａ２の側面部１３０の片部１３８を内側に押し込むことにより片部１３６の先端に指を引っかけることができるようにした後に、片部１３６を外側に回動させる。つまり、折れ線Ｃ１３６が回動軸となって片部１３６が水平方向に回動する。なお、片部１２６、１３６が回動する際の回動軸となる折れ線Ｃ１２６、Ｃ１３６の箇所には、罫線を形成しておかなくても片部１２６、１３６を回動させることにより自然と折れ線が形成されるが、予め該折れ線の箇所に罫線を形成しておいてもよい。
【００８０】
すると、外箱部Ａ２の片部１２６を外側に回動させた際に、同時に分離部２４の下側の切目線Ｋ２が破れて、分離部２４が内箱部Ａ１から分離し、回動させた片部１２６に接着した状態で片部１２６に従動する。同様に、外箱部Ａ２の片部１３６を外側に回動させた際に、同時に分離部３４の下側の切目線Ｋ６が破れて、分離部３４が内箱部Ａ１から分離し、回動させた片部１３６に接着した状態で片部１３６に従動する。
【００８１】
そして、図１３に示すように、外箱部Ａ２を上方に引き上げることにより、被収納物を収納した状態で、かつ、分離部２４、３４が分離した状態の内箱部Ａ１が残るので、その後、表示部１６と表示部支持部２６とを組み立てて、表示部１６を表示状態にする。
【００８２】
すなわち、まず、正面部１０から接続部１４を分離する。すなわち、接続部１４と正面本体部１２間の切目線を破断するとともに、接続部１４と表示部１６間の切目線を破断して、接続部１４を正面本体部１２及び表示部１６から分離して、図１４に示す状態とする。
【００８３】
次に、表示部支持部２６を側面部２０の本体部２２に対して内側に倒し（すなわち、表示部支持部２６を折れ線Ｃ２７を介して内側に回動させる）、表示部１６と表示部支持部２６間に形成された切欠部Ｋ９（表示部１６と表示部支持部２６の境界における本体部２２側とは反対側の端部）を突出部１３に係止させて、図１５に示す状態とする。
【００８４】
すると、表示部支持部２６が水平方向に固定され、表示部１６は、包装箱Ａを組み立てた際に表示部支持部２６に対して折曲した状態となっているので、表示部１６は表示部支持部２６に対して下方に折曲し、包装箱Ａを組み立てた状態では、表示部支持部２６に対して直角に折曲していた表示部１６が復元して、表示部支持部２６に対して斜めに折曲した状態となり、表示部１６は、背面側から正面側に向けて斜め下方に傾斜した状態となる。よって、表示部１６に表示された表示内容を斜め上方から視認した際に表示内容を見やすくすることができる。なお、図１０や図１に示す包装箱Ａを箱状に組み立てた状態や、図１１に示す包装箱Ａの包装状態においては、表示部１６は、すでに表示部支持部２６に対して折曲した状態となっているので、表示部１６を表示部支持部２６に対して折り曲げる操作は必要ない。
【００８５】
なお、表示部支持部２６が水平方向に固定されることにより内箱部Ａ１の内側に突出するが、被収納物Ｇをパウチ製品のように柔軟性のあるものとすることにより、水平状態の表示部支持部２６により被収納物Ｇが押されても被収納物Ｇの側面が凹むので、表示部支持部２６が邪魔になることがない。
【００８６】
本実施例の包装箱においては、接続部１４を正面部１０から分離して除去し、表示部支持部２６を内側に倒すのみで表示部１６を表示状態にすることができるので、ＰＯＰ広告として機能する表示部の組立てを極めて素早く行なうことができる。特に、特許文献１に記載の包装箱に比べても、接続部１４を除去する破断操作と、１回の折曲げ操作（表示部支持部２６を内側に倒す折曲げ操作）のみで表示状態とすることができるので、極めて素早く表示部を組み立てることができる。
【００８７】
また、表示部１６と表示部支持部２６間の境界位置の端部を係止部に係止させるので、表示部１６を固定して配置することができ、特に、切欠部Ｋ９が設けられているので、切欠部Ｋ９を突出部１３と係止させることにより、表示部１６を強固に正面本体部１２に固定することができる。
【００８８】
また、表示部支持部２６が本体部２２に連設され、表示部１６が表示部支持部２６に連設されているので、表示部支持部２６と本体部２２の連設箇所を長く確保することができるとともに、表示部１６と表示部支持部２６の連設箇所を長く確保することができるので、表示部１６を安定して支持することができ、表示部１６が表示部支持部２６から破れて脱落するおそれが小さく、特許文献１に記載の包装箱に比べても、表示部が脱落するおそれが小さい。
【００８９】
また、本実施例の包装箱Ａによれば、図１や図２に示すように、上方が開口した包装箱Ａに対して上方から被収納物である商品を収納して、上面部１６０〜１９０を閉じて１つの接着テープＴにより封止するのみであるので、容易に被収納物（商品）の梱包作業を行うことができる。
【００９０】
また、本実施例の包装箱Ａによれば、外箱部Ａ２の側面部１２０、１３０の片部１２８、１３８を内側に押し込むことにより片部１２６、１３６の先端に指を引っかけることができるようにした後に、片部１２６、１３６を外側に回動させて、分離部２４、３４を内箱部Ａ１から分離して外箱部Ａ２を上方に引き上げるのみで陳列することができるので、陳列作業を容易に行なうことができる。
【００９１】
なお、外箱部Ａ２には、開口部Ｋ１４と切欠部Ｋ１８が設けられていて、正面部１１０や側面部１２０、１３０の下端が外側と内側間を移動する余裕があるので、外箱部Ａ２を容易に引き上げることができる。
【００９２】
また、被収納物の陳列状態においては、内箱部Ａ１における正面部１０の高さ方向の長さは、背面部４０の高さ方向の長さよりも小さく形成されているので、正面部１０を正面側として陳列することにより被収納物をユーザから見やすくすることができる。
【００９３】
なお、包装箱Ａを左右対称の構成としてもよく、特に、内箱部Ａ１を左右対称の構成としてもよい。すなわち、表示部支持部２６を側面部３０（第１内側側面部）の本体部３２から連設させ、表示部支持部２６から連設された表示部１６を正面本体部１２の右側面側に形成された突出部１３に係止する構成としてもよい。
【００９４】
また、表示部１６は、切目線を介して接続部１４に連設され、接続部１４が切目線を介して正面本体部１２に連設されているとしたが、表示部１６を接続部１４まで含んだ形状として、表示部が切目線を介して正面本体部１２に連設された構成としてもよい。例えば、図１６に示すように、表示部１６が切目線を介して正面本体部１２に連設された構成としてもよい。その場合には、正面本体部１２と表示部１６間の切目線Ｋ１ａを破断し、表示部支持部２６を折れ線Ｃ２７を介して本体部２２に対して内側に回動させて、表示部１６と表示部支持部２６間の境界位置の端部（つまり、切欠部Ｋ９）を突出部１３に係止させることにより、表示部１６が表示部支持部２６により正面側に下方に傾斜した状態で支持される。
【００９５】
なお、上記の説明において、外箱部Ａ２においては、スリーブ状部１０５を構成する正面部１１０と側面部１２０の境界位置に開口部Ｋ１４が設けられ、正面部１１０と側面部１３０の境界位置に切欠部Ｋ１８が設けられているとして説明したが、同様の構成の開口部又は切欠部を側面部１２０と背面部１４０の境界位置や側面部１３０と背面部１４０の境界位置に設けるようにしてもよい。
【００９６】
なお、上記の説明においては、内箱部Ａ１や外箱部Ａ２が４つの側面部を有するもの、つまり、平面視が四角形の形状のものとして説明したが、平面視が他の多角形のものでもよい。例えば、内箱部や外箱部における側面部が６つや８つのものでもよく、このように側面部の数が偶数の場合には、内箱部における２つの分離部は相対する側面部に設ける。例えば、平面視が六角形の場合には、互いに平行な側面部に２つの分離部を設ける。また、側面部の数が奇数の場合には、一方の分離部が設けられた側面部と平行な対向する側面部がある場合には、その側面部に他の分離部を設け、平行な側面部がない場合には、一方の分離部が設けられた側面部と最も平行に近い（つまり、該側面部となす角度が最も小さい）側面部に他の分離部を設ければよい。
【符号の説明】
【００９７】
Ａ 包装箱
Ａ１ 内箱部
Ａ２ 外箱部
５、１０５ スリーブ状部
１０、１１０ 正面部
１２ 正面本体部
１４  接続部
１６  表示部
２０、３０、１２０、１３０ 側面部
２２、３２ 本体部
２４、３４ 分離部
２６  表示部支持部
２７、２８  帯状部
４０、１４０ 背面部
４２、１４２ 糊代部
５０ 底面部
６０  第１片部
７０  第２片部
８０  第３片部
９０  第４片部
１２６、１２８、１３６、１３８ 片部
１６０、１７０、１８０、１９０ 上面部
Ｋ２、Ｋ４、Ｋ６、Ｋ８  切目線
Ｃ２７、Ｃ２８  折れ線
【図１】
0003174806.tif 000003
【図２】
0003174806.tif 000004
【図３】
0003174806.tif 000005
【図４】
0003174806.tif 000006
【図５】
0003174806.tif 000007
【図６】
0003174806.tif 000008
【図７】
0003174806.tif 000009
【図８】
0003174806.tif 000010
【図９】
0003174806.tif 000011
【図１０】
0003174806.tif 000012
【図１１】
0003174806.tif 000013
【図１２】
0003174806.tif 000014
【図１３】
0003174806.tif 000015
【図１４】
0003174806.tif 000016
【図１５】
0003174806.tif 000017
【図１６】
0003174806.tif 000018